(57)【特許請求の範囲】
【請求項１】
上下に配置される複数のマガジンをそれぞれ独立に収容してその位置に保持するロック機構と、その位置から随時個別的にマガジンを取り出し得る複数のイジェクト機構とを含むディスクチェンジャー装置において、ディスク収納段間を移動自在なディスク選択装置に搭載したディスク押出機構の押出力を個別に前記複数のイジェクト機構のそれぞれのロック部材に伝達して該イジェクト機構を作動させる複数のレバー機構を設け、これらレバー機構に対する前記押出力の伝達を、隣接するマガジン間の離隔空間で集中させて行うようにしたことを特徴とするディスクチェンジャー装置。
【発明の詳細な説明】
【０００１】
【産業上の利用分野】
この発明は、レーザーディスク、コンパクトディスク等の複数のマガジンが収納可能なディスクチェンジャー装置に係わり、より具体的には収納されているマガジンのイジェクト（排出）機構に関する。
【０００２】
【従来の技術】
従来のディスクチェンジャー装置において収納可能なマガジンは通常１個である。一般的なイジェクト機構を図６に示す。図示されたマガジン６０１の収納位置に挿入された状態において、リターンスプリング６０２によりロックプレート６０３を介して常時図中左方に付勢されているロックピン６０４が、マガジンケース下面に設けられた鍵型のロック溝６０５の顎部６０６に介入している。このため、排出スプリング６０７により排出方向（図中下側）に付勢されているイジェクトプレート６０８の排出力は抑止され、マガジン６０１は収納位置にロックされる。
【０００３】
電動装置によってディスク選択のために回動されるスライドリンク６０９は、マガジンイジェクト操作信号によって、ディスク選択に係わる移動範囲を越えてさらに大きく旋回し、端部に設けた解除ピン６１０がロックプレート６０３の係合爪６１１を押圧して、２点鎖線で図示した位置までロックプレート６０３を図中右方に移動する。
【０００４】
ロックピン６０４は２点鎖線で示したようにロック溝６０５の中を顎部６０６から出入部６１２へ移動するので、マガジン６０１との係合が外れ、マガジン６０１は、排出スプリング６０７に付勢されたイジェクトプレート６０８の当接板６１３により図中下方へ押し出される。また、図中左方に設けた手動レバー６１４でロックプレート６０３を押動しても、先端の斜面６１５が突起６１６を介してロックプレート６０３を側方に変位させるように作用するので、同様にロックピン６０４の係合を解くことができる。手動レバー６１４には、ディスクが再生位置にセットされているとき、マガジンの排出操作が阻止されるように保護機能が施されている。
【０００５】
【発明が解決しようとする課題】
しかしながら、ディスクの枚数が増加してマガジンの収納段数が多くなると、上記した電動装置により回動されるスライドリンク６０９を備えたスライドリンク機構を各収納段ごとに設けることは事実上困難となる。また、このスライドリンク機構を各収納段について共通にすると、各マガジンを個別に操作することができなくなる。さらに、マガジン排出のために要するスライドリンクの移動範囲の延拡部分は、マガジン収容能力の増加とともに、いたずらにデッドスペースを増大し、装置全体を大型化する。本発明は実装された複数のマガジンの排出を、個別的でしかも効率よく操作できるようにすることを目的とする。
【０００６】
【課題を解決するための手段】
上記の目的を達成するために、本発明はその構成において、上下に配置される複数のマガジンをそれぞれ独立に収容してその位置に保持するロック機構と、その位置から随時個別的にマガジンを取り出し得る複数のイジェクト機構とを含むディスクチェンジャー装置において、ディスク収納段間を移動自在なディスク選択装置に搭載したディスク押出機構の押出力を個別に前記複数のイジェクト機構のそれぞれのロック部材に伝達して該イジェクト機構を作動させる複数のレバー機構を設け、これらレバー機構に対する前記押出力の伝達を、隣接するマガジン間の離隔空間で集中させて行うようにしたことを特徴とする。
【０００７】
前記マガジンは少なくとも３個収容可能であり、前記押出力のリンク機構への伝達は、上下に隣接収容される２個のマガジン間の離隔空間で行うようにし、しかも好適にはこの空間を特定する。
【０００８】
【作用】
本発明は前記手段によれば、ディスク押出機構は、ディスク選択装置に搭載されており、ディスクの収納段間を自在に歩進移動して収納されているマガジンから所要のディスクを、再生装置へ向けて押し出すようになっている。一方、独立に収容され上下に隣接するマガジンのそれぞれに通常等間隔に収納されているディスク中で上側に位置するマガジンの最下部のディスクと下側に位置するマガジンの最上部のディスクとの間には、隔壁とマガジンケースの板厚とを総合した広さに相当する空間が存在する。この空間はディスクの押出しに関与しない。
【０００９】
そこで、この空間に各マガジンの収納棚に設けられたイジェクト機構のロック部材に連係するレバー機構を設け、しかも、ディスク選択装置の歩進移動を各マガジンの収納段に対応させて、ディスク押出機構の押出力により個別に前記イジェクト機構を作動させ、マガジンの個別的な取り出しを可能にすることができる。
【００１０】
さらに、各マガジンイジェクト機構のロック部材に伝達するレバー機構の操作位置を特定のマガジンの離隔空間に集中すると、各マガジン収納段に対するディスク押出機構の移動距離が節約できマガジンの排出を短時間で効率よく行うことができる。
【００１１】
【実施例】
以下に本発明の実施例を図面に基づいて説明する。以下、図面中共通するものには同一の符号が用いてある。図１は本発明に係わるディスクチェンジャー装置全体の概略の正面図で、１０は筐体、１２はシャーシ、１４は操作パネル、１６はマガジン収納棚で３個のマガジンを３段に分けて収納可能である。図では下２段のマガジン収納棚１６，１６にはマガジン１８，１８が実装されており、最上段は空段であることを示している。２０はマガジン収納室を開閉する引き戸で、図はマガジン収納棚１６を開放した位置にある。２２は引き戸２０の開閉把手、２４は監視窓で、操作パネル１４に設けた、選択ディスク位置の確認インジケータ２６を外部より視認するために引き戸２０に穿設されている。図示の場合、インジケータ２６の指標Ｓによれば、機構はマガジン収納棚１６の最上段がマガジンイジェクト操作位置（目盛＝Ｅ３）にあることを示している。本実施例では、便宜上６枚のディスク２７が収容可能なマガジン１８を３個装着でき、合計１８枚のディスクについて操作可能なプレーヤを例示したが、本発明がこれに限定されないことは当然である。
【００１２】
操作パネル１４に設けられた操作用のスイッチ類は引き戸２０のその他の部分によって隠蔽され、誤操作から保護されている。２８はイジェクト操作釦で、夫々が各々マガジン収納棚に対応しており、このいずれかを押圧することによって所要のマガジンを取り出すことができる。マガジンの装着は、所定の棚位置にマガジンを奥まで十分に押し込むことによって行われ、押し込みの最終端において公知の手段によりマガジンは自動的にロックされてその位置に保持される。このように開閉把手２２を操作して引き戸２０を開き、マガジンの着脱操作を完了させた後、引き戸２０を閉鎖すると、図中右側に操作パネル１４が前面に露出して、ディスク２７の再生操作が可能になる。なお、当該チェンジャー装置にはイジェクト操作釦２８のみを設け、符号１４で示されるパネルに操作用のスイッチ類を設けないようにしても良い。この場合、当該チェンジャー装置に対する各種操作指令は、チェンジャー装置に接続された図示されないヘッドユニットから行われる。
【００１３】
図２は、図１のＩＩ−ＩＩ線に沿った断面で示した平面図で、Ｍはマガジン収納部、Ｐはディスク再生部である。３０はディスク選択再生機構（図示しない）を搭載したリフトパネルで、３本のシフトピン３３，３４，３５が一体に植設され、前面の操作パネル１４側の第１の板カム３６ａおよび第２の板カム３８ａに設けたジグザグ形状の階段状カム溝４０ａ，４２ａおよび背面側の第１の板カム３６ｂと第２の板カム３８ｂの夫々に側方に離間させて２箇所に設けたジグザグ形状の階段状カム溝４０ｂ，４０ｃ，４２ｂ，４２ｃによって支持され、シャーシ１２に設けた直線案内溝４３によって上下に案内され制御を受けている。
【００１４】
第１の板カム３６ａ，３６ｂに設けたジグザグ形状の階段状カム溝４０ａ，４０ｂ，４０ｃの形状はすべて同一であって、階段状カム溝４０ｂ，４０ｃは、階段状カム溝４０ａを軸対称に反転させて配置したものである。また、第２の板カム３８ａ，３８ｂに設けたジグザグ形状の階段状カム溝４２ａ，４２ｂ，４２ｃの形状もすべて同一であって、階段状カム溝４２ｂ，４２ｃは、階段状カム溝４２ａを軸対称に反転させて配置したものである。
【００１５】
５０はディスク押出機構の操作キーで、リフトパネル３０に設置された図示しない駆動部とアーム５２によって連結され、リフトパネル３０と共に昇降する。操作キー５０の図中左方への突出動作（２点鎖線）により、操作キー５０と同一レベルにあるディスク排出レバー４８が反時計方向に回動され、これと係合関係にあるディスク２７ａのみが図中２点鎖線で示す位置まで、ディスク再生部Ｐに向けて押し出され、公知の手段によって、ディスク再生部Ｐにセットされる。
【００１６】
図３は図２のＩＩＩ−ＩＩＩ線に沿って示した第１の板カム３６ａおよび第２の板カム３８ａの正面図で、ジグザグ形状の階段状カム溝４０ａは第１の板カム３６ａに、また一方のジグザグ形状の階段状カム溝４２ａは第２の板カム３８ａに穿設されている。便宜上、第１の板カム３６ａにおけるジグザグ形状の階段状カム溝４０ａの左側の折り返し部分を山部とし、右側の折り返し部分を谷部とする。
ジグザグ形状の溝は谷部から山部に移行するステップ６６と、山部側だけで移行するステップ６８と、山部から谷部に移行するステップ７０と、谷部側だけで移行するステップ７２とが順次組み合わせて構成されている。第２の板カム３８ａも同様のジグザグ形状を示すが、階段状カム溝４２ａの傾斜形状部分７４を第１の板カム３６ａの片側だけの連設ステップ６８，７２に対応させて設け、この間の移行を第２の板カム３８ａの協働によって行う。
【００１７】
次にリフトパネル３０の歩進移動をシフトピン３３に対する第１および第２の板カム３６ａ，３８ａの動作で代表して説明する。その他のピン３４，３５についてもこれと係合する第１および第２の板カム３６ｂ，３８ｂの階段状カム溝４０ｂ，４２ｂ，４０ｃ，４２ｃによって全く同様に行われるので説明は省略する。いずれの板カムも電気および／または機械的に制御された駆動レバー５６，６０の作動によって、継手５４ａ，５４ｂ：５８ａ，５８ｂを介してジグザグ形状の山部と谷部間を間欠的に往復動させる。
【００１８】
最初、リフトパネル３０は下端位置ｍ１（操作パネルの目盛＝１：以下、目盛＝１）にあるとする。第２の板カム３８ａ（以下、カム３８ａ）を停止させたまま、第１の板カム３６ａ（以下、カム３６ａ）を矢印Ｒの方向に移動してストロークの半分の位置で停止させる。シフトピン３３のカム溝４０ａとの係合位置はｍ２でシフトピン３３は目盛＝２に位置して停止する。カム３６ａをストローク一杯まで矢印Ｒの方向に移動させると、シフトピン３３のカム溝４０ａとの係合位置はｍ３に至り、シフトピン３３は目盛＝３に位置する。この動作中、カム３８ａのカム溝４２ａは、全く干渉しない位置７５にある。
【００１９】
次にカム３６ａを停止させたまま、カム３８ａを矢印Ｌの方向に移動してストロークの半分の位置で停止させる。シフトピン３３のカム溝４０ａとの係合位置はｍ４でシフトピン３３は目盛＝４に位置して停止する。さらにカム３８ａをストローク一杯まで矢印Ｌの方向に移動させると、シフトピン３３のカム溝４０ａとの係合位置はｍ５となって、シフトピン３３は目盛＝５に位置する。今度はカム３８ａを停止して、カム３６ａをストロークの半分の位置で停止させることにより、シフトピン３３はカム溝４０ａとｍ６で係合するので、シフトピン３３は目盛＝６の位置に停止する。そこでさらにカム３６ａをストローク一杯に移動させて、シフトピン３３をカム溝４０ａのｍ７に係合させシフトピン３３を目盛＝Ｅ１に位置せしめる。この作動中も、カム３８ａのカム溝４２ａは、全く干渉しない位置７５にある。このようにして、シフトピン３３は、直線案内溝４３内を一方向に歩進する。上記の手順を逆行させることにより、シフトピン３３を逆進させることが可能である。
【００２０】
目盛＝１〜６は、下段のマガジン１８のディスク２７の収納段に対応させてあり、所要の段位置にシフトピン３３を停止させて別設の手段でその位置にロックして、所要のディスク２７と同一レベルになったリフトパネル３０に対して、操作パネル１４から指令して、ディスク排出レバー４８の操作キー５０を操作し、公知の手段によってディスク２７の収納位置よりの抽出、再生、かつ使用後の収納位置復帰を行うことができる。
【００２１】
ここで、カム３６ａを停止させたまま、カム３８ａを矢印Ｒの方向に移動してストロークの半分の位置で停止させる。シフトピン３３のカム溝４０ａとの係合位置はｍ８でシフトピン３３は目盛＝Ｅ２に位置して停止する。さらにカム３８ａをストローク一杯まで矢印Ｒの方向に移動させると、シフトピン３３のカム溝４０ａとの係合位置はｍ９となって、シフトピン３３は目盛＝Ｅ３に位置する。目盛Ｅ１，Ｅ２，Ｅ３に対応する位置ｍ７，ｍ８，ｍ９はマガジンの収納枠やマガジンケースの厚さにより、ディスクのない空間が生じる。そこで、この段位置に操作キー５０で操作可能なイジェクトレバーを各マガジンの収納段にこの目盛位置Ｅ１，Ｅ２，Ｅ３に対応するように設けて、マガジンのイジェクト操作を行う。
【００２２】
上記は、下段に装着したマガジンのディスクに対する操作であるが、中段および下段に装着したマガジンのディスクに対してもカム３６ａおよびカム３８ａについて同様の動作を繰り返し行わせることによって、目的を達成することができる。中段のマガジンと上段のマガジンとの間となる３ステップの位置ｍ１６，ｍ１７，ｍ１８（目盛＝Ｆ，Ｆ，Ｆ）は、特に操作キー５０等による操作機能部材が設置されていないデッドスペースであるから、中間にステップを設ける必要がなく、シフトピン３３がこの位置にあるときは、カム３８ａは、全ストロークを停止することなく移動するように制御される。
【００２３】
７６ａ，７６ｂは、第１の板カム３６ａ，３６ｂを左右に往復並行移動させる直線ガイドで、また７８ａ，７８ｂは、第２の板カム３８ａ，３８ｂを左右に往復並行移動させる直線ガイドで、いずれもシャーシに固定されたスタッドピン８０，８２に係合して摺動する。６２はリフトパネル３０と一体に移動するピンで、指標Ｓの位置を外部から視認することによって、リフトパネル３０がどの収納段のディスク２７に対応しているかを確認することができる。
【００２４】
上記の実施例では、歩進機構にジグザグ形状の階段状カム溝を適用したが、本発明はこれに限定されるものではなく、例えば特開昭６２−３４３６３号に示されるようなパンタグラフようのリンク機構によるもの、あるいは特開昭６３−２０６９８１号に示されるような階段状カムを有する機構によるものであっても良い。
さらにリフトパネル３０を少なくとも２本の親ねじと螺合するクロスヘッドで支持して、この親ねじをパルス制御による公知の手段で歩進的に移動するものであってもよい。また、親ねじの代わりに、上下に張設した無端のチェーン、ベルトまたはワイヤーを使用した同様の機構であってもよいことは勿論である。
【００２５】
第１実施例において、８４は各マガジン収納部に設けられたマガジンイジェクト機構を動作させるためのマガジンイジェクトレバーで、その操作端部８５はディスク排出レバー４８の関与しないレベルＥ１，Ｅ２，Ｅ３にそれぞれ配設され、ディスク押出機構の操作キー５０により、ディスク排出レバー４８に対するのと同じ動作で操作される（図５（ａ）参照）。
【００２６】
図４に示されるようにマガジン収納棚１６の平面図形はマガジン１８とほぼ同一形状で、マガジン１８と同位置に切欠き部４６が設けてあり、マガジン１８に連設されているディスク排出レバー４８の操作キー５０が上下方向に通過するのを許容しており、さらに上面にはマガジン１８を収納位置に係止するロック機構８６およびマガジン１８を排出するイジェクト機構８７を備える。
【００２７】
８８はリターンスプリングで、ロックプレート９０を常時図中左方に付勢している。９２はロックピンで、ロックプレート９０に植設されており、マガジンの下面に設けられた鍵型ロック溝９４の顎部９６と係合可能である。９８は排出スプリングで、マガジンの挿入縁辺に衝接する当接板９９と一体のイジェクトプレート１００を排出方向に付勢している。
【００２８】
１０２は解除ピンで、操作端部８５と反対側のマガジンイジェクトレバー８４の端部に植設され、軸１０３を中心として一体に回動する。解除ピン１０２は、ロックプレート９０の突起１０４に係合されており、マガジンイジェクトレバー８４の回動に伴って、リターンスプリング８８の付勢力に抗してロックプレート９０を摺動させる。
【００２９】
１０７は、案内溝で固定突起１０８に沿って摺動し、ロックプレート９０を直線移動させる。また、１０９はイジェクトプレート１００の案内溝で、固定突起１１０に沿って移動する。１１１は制御片で、マガジン１８が挿入されていないとき、排出スプリング９８の付勢力によりイジェクトプレート１００が筐体１０の前方（図中下側）に移動しているので、保持縁１１２に押し上げられて、休止状態にある。このため、ロックプレート９０が図中右方へ強制移動されて、ロックピン９２はマガジン１８のロック溝９６の出入部１０６に整合される。マガジン１８の挿入に伴って、イジェクトプレート１００が筐体１０の後方（図中上側）に移動するので、ロックプレート９０はリターンスプリング８８の付勢力に支配される。
【００３０】
図示されたようにマガジン１８を収納位置に挿入すると、リターンスプリング８８によりロックプレート９０を介して常時図中左方に付勢されているロックピン９２が、マガジンケース下面に設けられた鍵型のロック溝９４の出入部１０６に沿って進入し、顎部９６に咬合する。このため、排出スプリング９８により排出方向（図中下側）に付勢されているイジェクトプレート１００の排出力は抑止され、マガジン１８は収納位置にロックされる。
【００３１】
次に、マガジンの排出操作について説明する。図１に示すように、前面の引き戸２０を開扉すると、イジェクト操作釦２８の配列にアクセス可能となる。ここで例えばＥ２と表示されたイジェクト操作釦２８を押す。このとき、ディスク再生部Ｐにディスクが残っている場合には、停止している段で、抽出したマガジンにディスクを戻した後、駆動レバー５６，６０が逐次作動して、リフトパネル３０を歩進させながら、シフトピン３３がカム溝４０ａのｍ８に係合するインジケータ２６の目盛＝Ｅ２に相当する位置に移動する。
【００３２】
図５は、本発明に係わる操作キー５０の作用を第１ないし第３実施例について説明する概略の斜視図で、背面側より図示したものである。図５（ａ）には、マガジンが図示してあるが、図５（ｂ）および図５（ｃ）には繁雑さを避けるため、マガジンの図示を省略した。しかしながら、挿入の配置関係が図５（ａ）と同様であることは当然である。
【００３３】
ここで、図４ないし図５（ａ）に示されるように、例えば中段に収納されているマガジンのロックプレート９０に係合する解除ピン１０２を植設したマガジンイジェクトレバー８４の操作端部８５が配設されているレベルと、リフトパネル３０とともに移動してきたディスク押出機構の操作キー５０のレベルとが一致する。そこで操作キー５０は、ディスク排出レバー４８に対するのと同じように図中左方へ突出作動して、操作キー５０と同一レベルにあるマガジンイジェクトレバー８４の操作端部８５を図中反時計方向に回動する（図４参照）。
【００３４】
操作キー５０によって回動されるマガジンイジェクトレバー８４の端部に設けた解除ピン１０２がロックプレート９０の突起１０４を押圧して、ロックプレート９０を図中矢印Ｘ方向に移動する。これにより、ロックピン９２は２点鎖線で示したようにロック溝９４の中を顎部９６から出入部１０６へ移動して、マガジン１８との係合が外れ、マガジン１８は、排出スプリング９８に付勢されたイジェクトプレート１００により図中下方へ押し出される。一方、イジェクトプレート１００の移動によって、制御片１１１は傾斜縁１１３に沿って保持縁１１２へ押し上げられ、ロックピン９２の顎部９６からの離脱を確実にする。
【００３５】
図５（ｂ）は、マガジンイジェクトレバーに係わる第２実施例で、中段のマガジンのロックプレート９０に対するマガジンイジェクトレバー８４の関係は第１実施例と同様であるが、最上段および最下段のマガジンのロックプレート２９０ａ，２９０ｃと連係するマガジンイジェクトレバー２８４ａ，２８４ｃは、垂直方向の面内で回動するように配設されている。
【００３６】
この場合操作キー５０は、マガジンイジェクトレバー２８４ａは図中時計方向に回動するが、マガジンイジェクトレバー２８４ｃは図中反時計方向に回動する。いずれも、解除ピン２０２ａ，２０２ｃがロックプレート２９０ａ，２９０ｃの突起２０４ａ，２０４ｃを押圧してロックピン９２を係止解除の方向に移動し、対応するマガジンを排出することは第１実施例と同様である。
【００３７】
図５（ｃ）は、マガジンイジェクトレバーに係わる第３実施例で、マガジンイジェクトレバー３８４ａ，３８４ｂ，３８４ｃは、案内溝３０３によってそれぞれ独立して図中上下方向に直線的に摺動する。操作キー５０が作用する操作端部３８５ａ，３８５ｂ，３８５ｃは、おおむね三角形状をなし、斜面３８６ａ，３８６ｂ，３８６ｃで操作キー９０と摺接し、操作キー９０の押動方向に対して垂直に直線的に摺動する。
【００３８】
これにより、各マガジンイジェクトレバー３８４ａ，３８４ｂ，３８４ｃに植設された解除ピン３０２ａ，３０２ｂ，３０２ｃは、それぞれ対応するマガジンのロックプレート３９０ａ，３９０ｂ，３９０ｃの突起３０４ａ，３０４ｂ，３０４ｃを押圧することにより、斜面の作用で縦の運動を横の運動に変換し、第１実施例と同様にロックピン９２を係止解除の方向に移動して、個別にマガジンを排出することができる。
【００３９】
この第３実施例においては、操作端部３８５ａ，３８５ｂ，３８５ｃを各マガジンイジェクトレバー３８４ａ，３８４ｂ，３８４ｃのそれぞれに２箇所ずつ設け、操作キー５０がマガジンイジェクト機能を果たすレベルを２箇所ＥＡ１，ＥＡ２，ＥＡ３：ＥＢ１，ＥＢ２，ＥＢ３にまとめることができる。従ってこの場合は、リフトパネル３０は、いずれか最寄りのイジェクトレベルを選択して短時間に移動することができる。
【００４０】
さて、本発明においては、マガジンをロックし、かつイジェクトするための機構は、上記したもののみに限定されず、どのようなものであっても良い。また、全てのマガジンに対応するマガジンイジェクトレバーが、特定の２つのマガジン間に全て集中して設けられるものとして説明したが、少なくとも２つのイジェクトレバーが、所定のマガジン間に設けられれば良い。さらにマガジンイジェクトレバーをマガジン間に集中して設けるのでなく、最も外側のマガジンよりも外側に集中して設けるようにしても良い。
【００４１】
【発明の効果】
以上説明した通り、本発明に係わるディスクチェンジャー装置のマガジンイジェクト機構は、複数のマガジンに共通させて、既設のディスク押出機構を使用したので、イジェクト機構用に特段の空間を必要とせず、実装マガジン数が増大しても装置の小型化に十分対応することができる。また、ディスク押出機構の押出力の作用位置をディスク選択機構の中の特定箇所に集中したことによって、マガジンイジェクト操作はディスク選択の範囲内で効率よく行うことができる。
【図面の簡単な説明】
【図１】本発明に係わるディスクチェンジャー装置全体を略示した正面図である。
【図２】図１のＩＩ−ＩＩ線に沿って示した断面の平面図である。
【図３】図２のＩＩＩ−ＩＩＩ線に沿って示した板カムの正面図である。
【図４】図１のＩＶ−ＩＶ線に沿って示した断面の平面図である。
【図５】本発明に係わるディスクチェンジャー装置のマガジンイジェクト機構の実施例を背面より示す斜視図で、（ａ）は第１実施例、（ｂ）は第２実施例、（ｃ）は第３実施例を示す。
【図６】従来のマガジンイジェクト機構の平面図である。
【符号の説明】
１２  シャーシ
１４  操作パネル
１６  マガジン収納棚
１８  マガジン
２６  インジケータ
２７  ディスク
２８  イジェクト操作釦
３０  リフトパネル
３３，３４，３５  シフトピン
３６ａ，３６ｂ  第１の板カム
３８ａ，３８ｂ  第２の板カム
４０ａ，４０ｂ，４０ｃ  階段状カム溝（第１の板カム）
４２ａ，４２ｂ，４２ｃ  階段状カム溝（第２の板カム）
４３  直線案内溝
４８  ディスク排出レバー
５０  操作キー
５２  アーム
５４ａ，５８ａ    継手
５６，６０  駆動レバー
８４  マガジンイジェクトレバー
８５  操作端部
８６  ロック機構
８７  イジェクト機構
８８  リターンスプリング
９０  ロックプレート
９２  ロックピン
９４  鍵型ロック溝
９６  顎部
９８  排出スプリング
１００  イジェクトプレート
１０２  解除ピン
１０４  突起
１０６  出入部
１０７，１０９  ガイド溝
１０８，１１０  固定突起
【図１】
0003589703.tif 000002
【図２】
0003589703.tif 000003
【図３】
0003589703.tif 000004
【図４】
0003589703.tif 000005
【図５】
0003589703.tif 000006
【図６】
0003589703.tif 000007